(57)【要約】【課題】簡単な構成によりディジタルテレビジョン信号とアナログ放送テレビジョン信号とをそれぞれ良好に受信することのできるテレビジョンチューナを提供すること。【解決手段】ディジタルテレビジョン信号およびまたはアナログ放送テレビジョン信号が入力されるテレビジョンチューナであって、中間周波同調回路１５が、第一の共振回路１５ａと、第一の共振回路１５ａとは共振周波数を異にする第二の共振回路１５ｂとをそれぞれ別個に有し、前記ディジタルテレビジョン信号受信時に、前記中間周波同調回路１５を前記第一の共振回路１５ａのみで構成し、前記アナログテレビジョン信号受信時には、前記中間周波同調回路１５を前記第一の共振回路１５ａに第二の共振回路１５ｂを付加して構成していることを特徴とする。【選択図】      図１
2008035205.tif 000002
【特許請求の範囲】
【請求項１】
ディジタルテレビジョン信号およびまたはアナログ放送テレビジョン信号が入力され、中間周波数帯の信号に変換する混合回路と、前記混合回路の後段に設けられた中間周波同調回路と、前記中間周波同調回路の後段に設けられた中間周波増幅回路とを備えているテレビジョンチューナであって、
前記中間周波同調回路は、第一の共振回路と、前記第一の共振回路とは共振周波数を異にする第二の共振回路とをそれぞれ別個に有し、
前記ディジタルテレビジョン信号受信時に、前記中間周波同調回路を前記第一の共振回路のみで構成し、
前記アナログテレビジョン信号受信時には、前記中間周波同調回路を前記第一の共振回路に第二の共振回路を付加して構成していることを特徴とするテレビジョンチューナ。
【請求項２】
前記混合回路の出力回路、前記中間周波増幅回路の入力回路および前記中間周波同調回路をそれぞれ平衡回路で構成し、
前記第一の共振回路をコンデンサとインダクタとの並列共振回路で構成し、
前記並列共振回路を前記混合回路の平衡出力回路間に接続すると共に、
前記第一の共振回路の共振周波数を受信チャンネル周波数の中心周波数に設定し、
前記混合回路の一方の出力端と、前記中間周波増幅回路の一方の入力端との間に前記第二の共振回路を直列に接続すると共に、
前記第二の共振回路と並列にスイッチング素子を接続し、
前記第二の共振回路をコンデンサとインダクタの直列接続回路とコンデンサとの並列接続回路で構成すると共に、
前記ディジタルテレビジョン信号受信時に、前記スイッチング素子をオンとし、前記アナログテレビジョン信号受信時に、前記スイッチング素子をオフとし、
前記スイッチング素子をオフとした時の前記第二の共振回路の並列共振周波数を受信チャンネルの下側に隣接するチャンネル内の周波数に設定し、前記スイッチング素子をオフとした時の前記第一の共振回路の直列共振周波数を受信チャンネル内の周波数に設定した
ことを特徴とする請求項１に記載のテレビジョンチューナ。
【請求項３】
前記混合回路の出力回路、前記中間周波増幅回路の入力回路および前記中間周波同調回路をそれぞれ平衡回路で構成し、
前記第一の共振回路をコンデンサとインダクタとの並列共振回路で構成し、
前記並列共振回路を前記混合回路の平衡出力回路間に接続すると共に、
前記第一の共振回路の共振周波数を受信チャンネル周波数の中心周波数に設定し、
前記混合回路の一方の出力端とグランドとの間に、前記第二の共振回路をスイッチング素子を介して接続し、
前記第二の共振回路をコンデンサとインダクタの直列接続回路とコンデンサとの並列接続回路で構成すると共に、
前記ディジタルテレビジョン信号受信時に、前記スイッチング素子をオフとし、前記アナログテレビジョン信号受信時に、前記スイッチング素子をオンとし、
前記スイッチング素子をオンとした時に前記混合回路の一方の出力端とグランドとの間に形成された前記第一の共振回路と第二の共振回路との合成回路の直列共振周波数を、受信チャンネルの下側に隣接するチャンネル内の周波数に設定し、前記スイッチング素子をオンとした時に前記混合回路の一方の出力端とグランドとの間に形成された前記第一の共振回路と第二の共振回路との合成回路の並列共振周波数を、受信チャンネル内の周波数に設定した
ことを特徴とする請求項１に記載のテレビジョンチューナ。
【請求項４】
前記混合回路の一方の出力端と、前記第二の共振回路のホット側との間で、かつ前記スイッチング素子と直列にコンデンサを介挿したことを特徴とする請求項３に記載のテレビジョンチューナ。
【発明の詳細な説明】
【技術分野】
【０００１】
本発明はテレビジョンチューナに係り、特にデジタルテレビジョン信号およびアナログテレビジョン信号を選択的に受信可能としたテレビジョンチューナに関する。
【背景技術】
【０００２】
図１５は従来のテレビジョンチューナの１例の構成を示している。
【０００３】
入力同調回路１０１にはデジタルテレビジョン信号およびアナログテレビジョン信号が入力される。デジタルテレビジョン信号は従来からのアナログテレビジョン信号が配列されたチャンネル以外のいわゆる空きチャンネルに配列されている。入力同調回路１０１によって大まかに選択されたいずれかのテレビジョン信号は高周波増幅器１０２によって増幅された後に、段間同調回路１０３に入力される。段間同調回路１０３の同調周波数と入力同調回路１０１の同調周波数とは連動するように形成されている。段間同調回路１０３においては隣接のチャンネルのテレビジョン信号が更に除去され、選択されたテレビジョン信号が混合器１０４に入力される。混合器１０４には図示しない発振器から局部発振信号が供給される。この混合器１０４においては、入力されたテレビジョン信号が中間周波数帯（米国仕様では４１ＭＨｚ〜４７ＭＨｚ）に周波数変換される。よって、変換された信号（中間周波信号）にはデジタルテレビジョン信号によるものとアナログテレビジョン信号によるものとがある。中間周波信号は中間周波同調回路１０５を経て中間周波増幅器１０６に入力される（特許文献１参照）。
【０００４】
中間周波同調回路１０５は、図１６に示すように、１個のコンデンサ１０５Ｃと２個のインダクタ１０５Ｌとによる並列同調回路で構成され、その同調周波数は中間周波数帯の中心よりも高く、ほぼ映像中間周波数（米国仕様では４５．７５ＭＨｚ）近辺となっている。２個のインダクタ１０５Ｌの中間部分には電源電圧Ｖｃｃが供給されると共に、コンデンサ１０５Ｃａを介して接地されている。
【０００５】
中間周波増幅回路１０６の出力は、アナログ出力端子１０７Ａを通して後段のアナログ信号処理部（図示せず）に出力され、ソーフィルタ１０８およびデジタル用増幅回路１０９を順に経て２個のデジタル用出力端子１０７Ｄを通して後段のデジタル信号処理部（図示せず）に出力されるように形成されている。
【０００６】
また、デジタルテレビジョン信号およびアナログテレビジョン信号を受信するチューナのモジュール化により、図１６に示すように、少なくとも混合器１０４および中間周波増幅器１０６はＩＣチップ１００内に内蔵されており、外付けの中間周波同調回路１０５は、当該ＩＣチップ１００の混合器１０４の２つの出力端子１１０、１１１（MIXout）に接続されている。
【０００７】
このように形成されているテレビジョンチューナにおいては、段間同調回路１０３より混合器１０４へ入力されたデジタルテレビジョン信号は混合器１０４および中間周波同調回路１０５の作用を受けて図１７に示すレスポンス特性をもって出力される。図６において、ＡはＰｉｘの出力レベルを示し、Ｂはクロマの出力レベルを示し、Ｃは音声の出力レベルを示し、Ｄは隣接するチャンネルの出力レベルを示している。
【０００８】
【特許文献１】特開２００４−０４８１２１号公報
【発明の開示】
【発明が解決しようとする課題】
【０００９】
このように形成されている従来のテレビジョンチューナにおいては、デジタル信号を受信するために、中間周波同調回路１０５として広帯域特性を維持する為に、インダクタ１０５Ｌの容量を大きくし、コンデンサ１０５Ｃの容量を小さく形成している。そのためにインダクタ１０５Ｌとして使用可能なものは、従来の空芯タイプのものではなく、チップタイプのものとなり、当然に周波数の調整は不可能なものとなっていた。また、混合器１０４の出力と中間周波増幅回路１０６の入力はとはＩＣチップ１００内において相互に接続されており、ＩＣチップ１００に設けられている２つの出力端子１１０（MIXout）間に中間周波同調回路１０５を形成することになり、ＩＣチップ１００内の信号線路上には回路を付加することはできないように形成されている。
【００１０】
このような条件のもとにデジタルとアナログの双方に対応しているモジュール化したテレビジョンチューナを得るためには、次に示す課題を解決する必要がある。
【００１１】
課題１：中間周波増幅回路１０６のレスポンス特性を、一方のデジタルテレビジョン信号を受信する場合には広帯域に亘って良好なレスポンス特性を得ることができ、他方のアナログテレビジョン信号を受信する場合には狭帯域の範囲で良好なレスポンス特性を得ることができること。
【００１２】
課題２：アナログテレビジョン信号を受信する場合の受信性能を確保するために次の中間周波増幅回路１０６のレスポンス特性を得ること。
【００１３】
１）音声Beat改善のため為に、クロマレベルと音声レベルとをデジタルテレビジョン信号受信時より減衰させること。
【００１４】
２）アナログ用のソーフィルタ（図示せず）とのマッチングをとり、ビデオ信号の周波数特性を確保するために、Ｐｉｘレベルをレスポンス特性のピーク値になるように設定できること。
【００１５】
３）隣接チャンネルからの妨害耐性を改善するために、周波数がＰｉｘ＋１．５ＭＨｚ近傍におけるレスポンス特性を減衰させることができること。
【００１６】
本発明はこれらの点に鑑みてなされたものであり、簡単な構成により前記課題を解決することのできるテレビジョンチューナを提供することを目的とする。
【００１７】
また、本発明は、デジタルテレビジョン信号およびアナログテレビジョン信号を選択的に受信可能としたテレビジョンチューナにおいて、中間周波増幅回路のレスポンス特性として、一方のデジタルテレビジョン信号を受信する場合には広帯域に亘って良好なレスポンス特性を得ることができ、他方のアナログテレビジョン信号を受信する場合には狭帯域の範囲で良好なレスポンス特性を得ることができるテレビジョンチューナを提供することを他の目的とする。
【００１８】
また、本発明は、アナログテレビジョン信号を受信する場合には、クロマレベルと音声レベルとをデジタルテレビジョン信号受信時より減衰させることができ、Ｐｉｘレベルをレスポンス特性のピーク値になるように設定することでき、周波数がＰｉｘ＋１．５ＭＨｚ近傍におけるレスポンス特性を減衰させることができるテレビジョンチューナを提供することを他の目的とする。
【課題を解決するための手段】
【００１９】
前記目的を達成するため、本発明に係るテレビジョンチューナの特徴は、ディジタルテレビジョン信号およびまたはアナログ放送テレビジョン信号が入力され、中間周波数帯の信号に変換する混合回路と、前記混合回路の後段に設けられた中間周波同調回路と、前記中間周波同調回路の後段に設けられた中間周波増幅回路とを備えているテレビジョンチューナであって、前記中間周波同調回路は、第一の共振回路と、前記第一の共振回路とは共振周波数を異にする第二の共振回路とをそれぞれ別個に有し、前記ディジタルテレビジョン信号受信時に、前記中間周波同調回路を前記第一の共振回路のみで構成し、前記アナログテレビジョン信号受信時には、前記中間周波同調回路を前記第一の共振回路に第二の共振回路を付加して構成していることを特徴とする。
【００２０】
本発明のテレビジョンチューナによれば、簡単な構成によりディジタルテレビジョン信号とアナログ放送テレビジョン信号とをそれぞれ良好に受信することができるテレビジョンチューナを提供すること。
【００２１】
また、本発明に係る他のテレビジョンチューナの特徴は、前記混合回路の出力回路、前記中間周波増幅回路の入力回路および前記中間周波同調回路をそれぞれ平衡回路で構成し、前記第一の共振回路をコンデンサとインダクタとの並列共振回路で構成し、前記並列共振回路を前記混合回路の平衡出力回路間に接続すると共に、前記第一の共振回路の共振周波数を受信チャンネル周波数の中心周波数に設定し、前記混合回路の一方の出力端と、前記中間周波増幅回路の一方の入力端との間に前記第二の共振回路を直列に接続すると共に、前記第二の共振回路と並列にスイッチング素子を接続し、前記第二の共振回路をコンデンサとインダクタの直列接続回路とコンデンサとの並列接続回路で構成すると共に、前記ディジタルテレビジョン信号受信時に、前記スイッチング素子をオンとし、前記アナログテレビジョン信号受信時に、前記スイッチング素子をオフとし、前記スイッチング素子をオフとした時の前記第二の共振回路の並列共振周波数を受信チャンネルの下側に隣接するチャンネル内の周波数に設定し、前記スイッチング素子をオフとした時の前記第一の共振回路の直列共振周波数を受信チャンネル内の周波数に設定したことを特徴とする。
【００２２】
本発明のテレビジョンチューナによれば、中間周波増幅回路のレスポンス特性として、一方のデジタルテレビジョン信号を受信する場合には広帯域に亘って良好なレスポンス特性を得ることができ、他方のアナログテレビジョン信号を受信する場合には狭帯域の範囲で良好なレスポンス特性を得ることができる。また、本発明は、アナログテレビジョン信号を受信する場合には、クロマレベルと音声レベルとをデジタルテレビジョン信号受信時より減衰させることができ、Ｐｉｘレベルをレスポンス特性のピーク値になるように設定することでき、周波数がＰｉｘ＋１．５ＭＨｚ近傍におけるレスポンス特性を減衰させることができる。
【００２３】
また、本発明に係る他の高周波回路テレビジョンチューナの特徴は、前記混合回路の出力回路、前記中間周波増幅回路の入力回路および前記中間周波同調回路をそれぞれ平衡回路で構成し、前記第一の共振回路をコンデンサとインダクタとの並列共振回路で構成し、前記並列共振回路を前記混合回路の平衡出力回路間に接続すると共に、前記第一の共振回路の共振周波数を受信チャンネル周波数の中心周波数に設定し、前記混合回路の一方の出力端とグランドとの間に、前記第二の共振回路をスイッチング素子を介して接続し、前記第二の共振回路をコンデンサとインダクタの直列接続回路とコンデンサとの並列接続回路で構成すると共に、前記ディジタルテレビジョン信号受信時に、前記スイッチング素子をオフとし、前記アナログテレビジョン信号受信時に、前記スイッチング素子をオンとし、前記スイッチング素子をオンとした時に前記混合回路の一方の出力端とグランドとの間に形成された前記第一の共振回路と第二の共振回路との合成回路の直列共振周波数を、受信チャンネルの下側に隣接するチャンネル内の周波数に設定し、前記スイッチング素子をオンとした時に前記混合回路の一方の出力端とグランドとの間に形成された前記第一の共振回路と第二の共振回路との合成回路の並列共振周波数を、受信チャンネル内の周波数に設定したことを特徴とする。
【００２４】
本発明のテレビジョンチューナによれば、中間周波増幅回路のレスポンス特性として、一方のデジタルテレビジョン信号を受信する場合には広帯域に亘って良好なレスポンス特性を得ることができ、他方のアナログテレビジョン信号を受信する場合には狭帯域の範囲で良好なレスポンス特性を得ることができる。また、本発明は、アナログテレビジョン信号を受信する場合には、クロマレベルと音声レベルとをデジタルテレビジョン信号受信時より減衰させることができ、Ｐｉｘレベルをレスポンス特性のピーク値になるように設定することでき、周波数がＰｉｘ＋１．５ＭＨｚ近傍におけるレスポンス特性を減衰させることができる。
【００２５】
また、本発明に係る他のテレビジョンチューナの特徴は、前記混合回路の一方の出力端と、前記第二の共振回路のホット側との間で、かつ前記スイッチング素子と直列にコンデンサを介挿したことを特徴とする。
【００２６】
本発明のテレビジョンチューナによれば、受信チャンネルのＰｉｘのレベルを低下させることなく、上隣接チャンネル部と下隣接チャンネル部の信号を更に抑圧することができる。
【発明の効果】
【００２７】
以上述べたように、本発明に係るテレビジョンチューナによれば、簡単な構成によりディジタルテレビジョン信号とアナログ放送テレビジョン信号とをそれぞれ良好に受信することができるテレビジョンチューナを得ることができる。
【発明を実施するための最良の形態】
【００２８】
以下、本発明に係るテレビジョンチューナの実施形態を図により説明する。
【００２９】
［第一実施形態］
図１から図３は本発明のテレビジョンチューナの第一実施形態を示す回路図である。
【００３０】
本第一実施形態においては、中間周波同調回路１５を従来と異なる構成に形成し、その他の入力同調回路１１、高周波増幅器１２、段間同調回路１３、混合器１４および中間周波増幅器１６は図１６に示す従来例とほぼ同様に形成している。
【００３１】
また、本実施形態の中間周波同調回路１５は、ディジタルテレビジョン信号受信時とアナログテレビジョン信号受信時とにおいて帯域幅を切替できるように、図２に示す第一の共振回路１５ａと、この第一の共振回路１５ａとは共振周波数を異にする第二の共振回路１５ｂとをもって形成されている。これらの第一及び第二の共振回路１５ａ、１５ｂの役割は、ディジタルテレビジョン信号受信時に中間周波同調回路１５を第一の共振回路１５ａのみで形成し、アナログテレビジョン信号受信時には、中間周波同調回路１５を第一の共振回路１５ａに第二の共振回路１５ｂを付加して形成するようしている。
【００３２】
更に説明すると、混合回路１４の出力回路、中間周波増幅回路１６の入力回路および中間周波同調回路１５はそれぞれ平衡回路により形成されている。
【００３３】
第一の共振回路１５ａは、従来例と同様に、をコンデンサ１５ａＣとインダクタ１５ａＬとの並列共振回路により形成されており、２個のインダクタ１５ａＬの中間部分には電源電圧Ｖｃｃが供給されると共に、コンデンサ１５Ｃａを介して接地されている。また、デジタルテレビジョン信号およびアナログテレビジョン信号を受信するチューナのモジュール化により、図２に示すように、少なくとも混合器１４および中間周波増幅器１６はＩＣチップ１０内に内蔵されており、外付けの中間周波同調回路１５の第一の共振回路１５ａは、当該ＩＣチップ１０の混合器１４の２つの平衡出力端子２０、２１（MIXout）に接続されている。この第一の共振回路１５ａの共振周波数は受信チャンネル周波数の中心周波数に設定されている。
【００３４】
第二の共振回路１５ｂは、混合回路１４の一方の出力端子２１と、中間周波増幅回路１６の一方の入力端子２２との間に直列に接続されており、コンデンサ１５ｂＣとインダクタ１５ｂＬの直列接続回路とコンデンサ１５ｂＣａとの並列接続回路によって形成されている。この第二の共振回路１５ｂには、同回路をオン・オフするためのダイオード１５Ｄからなるスイッチング素子が並列に接続されている。このスイッチング素子１５Ｄは、ディジタルテレビジョン信号受信時にオンとされ、アナログテレビジョン信号受信時にオフとされる。そして、スイッチング素子１５Ｄをオフとした時の第二の共振回路１５ｂの並列共振周波数を受信チャンネルの下側に隣接するチャンネル内の周波数に設定すると共に、スイッチング素子１５Ｄをオフとした時の第一の共振回路１５ａの直列共振周波数を受信チャンネル内の周波数に設定してある。
【００３５】
スイッチング素子１５Ｄをオン・オフさせるためのスイッチングトランジスタＳｗが、ＩＣチップ１０内に設けられている。そのスイッチングトランジスタＳｗのコレクタは導通素子である抵抗Ｒ１を介して入力端子２２に接続されていると共に、導通素子である抵抗Ｒ２を介して電源電圧Ｖｃｃの供給端子２３に接続されている。スイッチングトランジスタＳｗのエミッタは接地されている。
【００３６】
また、中間周波増幅回路１６の出力は、従来と同様にアナログ出力端子１７Ａを通して後段のアナログ信号処理部（図示せず）に出力され、ソーフィルタ１８およびデジタル用増幅回路１９を順に経て２個のデジタル用出力端子１７Ｄを通して後段のデジタル信号処理部（図示せず）に出力されるように形成されている。
【００３７】
次ぎに、本第一実施形態の作用を説明する。
【００３８】
入力同調回路１１にはデジタルテレビジョン信号およびアナログテレビジョン信号が入力される。
【００３９】
この状態においてデジタルテレビジョン信号を受信する場合には、ＩＣチップ１０内に設けられている図示しない制御部よりスイッチングトランジスタＳｗをオンにする指令が当該トランジスタＳｗのゲートに付与され、当該トランジスタＳｗがオンとなる。
【００４０】
これによりスイッチング素子１５Ｄがオンとなり、電源電圧Ｖｃｃより電流ががインダクタ１５ａＬ、スイッチング素子１５Ｄ、抵抗Ｒ１、スイッチングトランジスタＳｗ、接地の順に流れる。これにより第二の共振回路１５ｂは無効とされ、中間周波同調回路１５としては第一の共振回路１５ａのみが動作する。この第一の共振回路１５ａの共振周波数は受信チャンネル周波数の中心周波数に設定されているので、広帯域亘るレスポンス特性がよくなり、図３のａ線のようなデジタルテレビジョン信号を受信する場合に適した特性が出力される。図３のａ線において、ＡａはＰｉｘの出力レベルを示し、Ｂａはクロマの出力レベルを示し、Ｃａは音声の出力レベルを示し、Ｄａは隣接するチャンネルの出力レベルを示している。
【００４１】
次ぎに、アナログテレビジョン信号を受信する場合には、ＩＣチップ１０内に設けられている図示しない制御部よりスイッチングトランジスタＳｗをオフにする指令が当該トランジスタＳｗのゲートに付与され、当該トランジスタＳｗがオフとなる。
【００４２】
これによりスイッチング素子１５Ｄを形成するダイオードのアノードとカソードとに共に電源電圧Ｖｃｃが接続されるために、スイッチング素子１５Ｄがオフとなり、第二の共振回路１５ｂが有効とされる。これにより中間周波同調回路１５としては第一の共振回路１５ａと、当該第一の共振回路１５ａと中間周波増幅器１６との間に設けられた第二の共振回路１５ｂが共に動作する。両共振回路１５ａ、１５ｂが動作すると、第一の共振回路１５ａの共振周波数は受信チャンネル周波数の中心周波数に設定されおり、第二の共振回路１５ｂの並列共振周波数が受信チャンネルの下側に隣接するチャンネル内の周波数に設定されているので、図３のｂ線に示すようなレスポンス特性が得られる。その特性は、狭帯域化し、ＰｉｘレベルＡｂをレスポンス特性のピーク値に設定することができ、アナログ用のソーフィルタ（図示せず）とのマッチングをとることができる。更に、クロマレベルＢｂと音声レベルＣｂとをデジタルテレビジョン信号受信時より減衰させることができ、音声Beat改善を図ることができる。更に、周波数がＰｉｘ＋１．５ＭＨｚ近傍におけるレスポンス特性を減衰させることができ、隣接するチャンネルの出力レベルＤｂを減衰させて隣接チャンネルからの妨害耐性を改善することができる。また、第二の共振回路１５ｂのインダクタ１５ｂＬの値を微調整することにより、レスポンス特性のピーク点を調整することができるので、ＰｉｘレベルＡｂをピーク点に設定することも容易にできる。
【００４３】
［第二実施形態］
図４から図９は本発明のテレビジョンチューナの第二実施形態の中間周波同調回路部分を示す回路図である。
【００４４】
本第二実施形態においては、中間周波同調回路３５を第一実施形態における第一の共振回路１５ａと同一構成の第一の共振回路３５ａと、第一実施形態における第二の共振回路１５ｂと異なる構成の第二の共振回路３５ｂとをもって形成したものである。
【００４５】
また、本実施形態の中間周波同調回路３５は、ディジタルテレビジョン信号受信時とアナログテレビジョン信号受信時とにおいて帯域幅を切替できるように、図４に示す第一の共振回路３５ａと、この第一の共振回路３５ａとは共振周波数を異にする第二の共振回路３５ｂとをもって形成されている。これらの第一及び第二の共振回路３５ａ、３５ｂの役割は、ディジタルテレビジョン信号受信時に中間周波同調回路３５を第一の共振回路３５ａのみで形成し、アナログテレビジョン信号受信時には、中間周波同調回路３５を第一の共振回路３５ａに第二の共振回路３５ｂを付加して形成するようしている。
【００４６】
第一の共振回路３５ａは、従来例と同様に、をコンデンサ３５ａＣとインダクタ３５ａＬとの並列共振回路により形成されており、２個のインダクタ３５ａＬの中間部分には電源電圧Ｖｃｃが供給されると共に、コンデンサ３５Ｃａを介して接地されている。また、第一の共振回路３５ａは、ＩＣチップ１０の混合器１４の２つの平衡出力端子２０、２１（MIXout）に接続されている。この第一の共振回路３５ａの共振周波数は受信チャンネル周波数の中心周波数に設定されている。
【００４７】
第二の共振回路１５ｂは、混合回路１４の一方の出力端子２１とグランドとの間に導通素子である抵抗Ｒ３とダイオード３５Ｄからなるスイッチング素子を介して接続されており、コンデンサ３５ｂＣとインダクタ３５ｂＬの直列接続回路とコンデンサ１５ｂＣａとの並列接続回路によって形成されている。この第二の共振回路３５ｂをオン・オフするためのスイッチング素子３５Ｄは、ディジタルテレビジョン信号受信時にオフとされ、アナログテレビジョン信号受信時にオンとされる。そして、スイッチング素子３５Ｄをオンとした時に混合回路１４の一方の出力端子２１とグランドとの間に形成された第一の共振回路３５ａと第二の共振回路３５ｂとの合成回路の直列共振周波数を、受信チャンネルの下側に隣接するチャンネル内の周波数に設定し、スイッチング素子３５Ｄをオンとした時に混合回路１４の一方の出力端子２１とグランドとの間に形成された第一の共振回路３５ａと第二の共振回路３５ｂとの合成回路の並列共振周波数を、受信チャンネル内の周波数に設定してある。
【００４８】
スイッチング素子３５Ｄをオン・オフさせるためのスイッチングトランジスタＳｗ１が、ＩＣチップ１０内に設けられている。そのスイッチングトランジスタＳｗ１のコレクタは導通素子である抵抗Ｒ４を介して電源電圧Ｖｃｃの供給端子２３に接続されていると共に、出力端子２４に接続されている。この出力端子２４と第二の共振回路３５ｂのコンデンサ３５ｂＣとインダクタ３５ｂＬの接続点とが導通素子である抵抗Ｒ５を介して接続されている。スイッチングトランジスタＳｗのエミッタは接地されている。
【００４９】
次ぎに、本第二実施形態の作用を説明する。
【００５０】
入力同調回路１１にはデジタルテレビジョン信号およびアナログテレビジョン信号が入力される。
【００５１】
この状態においてデジタルテレビジョン信号を受信する場合には、図５に示すように、ＩＣチップ１０内に設けられている図示しない制御部よりスイッチングトランジスタＳｗ１をオフにする指令が当該トランジスタＳｗ１のゲートに付与され、当該トランジスタＳｗ１がオフとなる。これによりスイッチング素子３５Ｄを形成するダイオードのアノードとカソードとに共に電源電圧Ｖｃｃが接続されるために、スイッチング素子３５Ｄがオフとなり、第二の共振回路３５ｂが無効とされる。
【００５２】
これにより中間周波同調回路３５としては第一の共振回路３５ａのみが動作する。この第一の共振回路３５ａのＬ性とＣ性とのインピーダンスの関係は図６（ａ）の通りとなる。この第一の共振回路３５ａの共振周波数は受信チャンネル周波数の中心周波数に設定されているので、広帯域亘るレスポンス特性がよくなり、図７のａ線のようなデジタルテレビジョン信号を受信する場合に適した特性が出力される。図７のａ線において、ＡａはＰｉｘの出力レベルを示し、Ｂａはクロマの出力レベルを示し、Ｃａは音声の出力レベルを示し、Ｄａは隣接するチャンネルの出力レベルを示している。
【００５３】
次ぎに、アナログテレビジョン信号を受信する場合には、図８に示すように、ＩＣチップ１０内に設けられている図示しない制御部よりスイッチングトランジスタＳｗ１をオンにする指令が当該トランジスタＳｗ１のゲートに付与され、当該トランジスタＳｗ１がオンとなる。これにより電源電圧Ｖｃｃより電流がインダクタ３５ａＬ、抵抗Ｒ３、スイッチング素子５５Ｄ、インダクタ３６ｂＬ、抵抗Ｒ５、スイッチングトランジスタＳｗ１、接地の順に流れて第二の共振回路３５ｂが有効とされる。
【００５４】
これにより中間周波同調回路３５としては第一の共振回路３５ａと、混合回路１４の一方の出力端子２１とグランドとの間に導通素子である抵抗Ｒ３とダイオード３５Ｄからなるスイッチング素子を介して接続されている第二の共振回路１５ｂが共に動作する。両共振回路３５ａ、３５ｂが動作すると、図６（ｂ）に示すように、第一の共振回路３５ａのＬ性とＣ性とのインピーダンスの関係は同図（ａ）のデジタルテレビジョン信号受信時より周波数の高い方に移動し、第二の共振回路３５ｂのＬ性とＣ性とのインピーダンスの関係が第一の共振回路３５ａより低い周波数の位置になり、両者のインピーダンスを合わせると０インピーダンスの位置が両者の中間に得られる。そして、スイッチング素子３５Ｄをオンとした時に混合回路１４の一方の出力端子２１とグランドとの間に形成された第一の共振回路３５ａと第二の共振回路３５ｂとの合成回路の直列共振周波数が、受信チャンネルの下側に隣接するチャンネル内の周波数に設定されていると共に、スイッチング素子３５Ｄをオンとした時に混合回路１４の一方の出力端子２１とグランドとの間に形成された第一の共振回路３５ａと第二の共振回路３５ｂとの合成回路の並列共振周波数が、受信チャンネル内の周波数に設定されているので、図７のｂ線に示すようなレスポンス特性が得られる。その特性は、狭帯域化し、ＰｉｘレベルＡｂをレスポンス特性のピーク値に設定することができ、アナログ用のソーフィルタ（図示せず）とのマッチングをとることができる。更に、クロマレベルＢｂと音声レベルＣｂとをデジタルテレビジョン信号受信時より減衰させることができ、音声Beat改善を図ることができる。更に、周波数がＰｉｘ＋１．５ＭＨｚ近傍におけるレスポンス特性を減衰させることができ、隣接するチャンネルの出力レベルＤｂを減衰させて隣接チャンネルからの妨害耐性を改善することができる。更に、図９に示すように、デジタルテレビジョン信号受信時の伝送特性ａは広帯域であり、アナログテレビジョン信号受信時の伝送特性ｂは狭帯域であることがわかる。また、第二の共振回路３５ｂのインダクタ３５ｂＬの値を微調整することにより、レスポンス特性のピーク点を調整することができるので、ＰｉｘレベルＡｂをピーク点に設定することも容易にできる。
【００５５】
［第三実施形態］
図１０から図１４は本発明のテレビジョンチューナの第三実施形態の中間周波同調回路部分を示す回路図である。
【００５６】
本第三実施形態においては、第二実施形態において中間周波同調回路３５の第二の共振回路３５ｂと混合回路１４の一方の出力端子２１とを接続するために、導通素子である抵抗Ｒ３とダイオード３５Ｄからなるスイッチング素子を介して接続しているのを、導通素子である抵抗Ｒ３に代えて容量素子としてのコンデンサ３５Ｃを用いて接続したものである。また、スイッチング素子３５Ｄに対する通電を可能とするために、インダクタ３５ａＬとコンデンサ３５Ｃａとの接続点と、スイッチング素子３５Ｄと容量素子３５Ｃとの接続点との間を導通素子であるＲ６により接続している。その他は第二実施形態と同様に形成されている。
【００５７】
次ぎに、本第三実施形態の作用を説明する。
【００５８】
入力同調回路１１にはデジタルテレビジョン信号およびアナログテレビジョン信号が入力される。
【００５９】
この状態においてデジタルテレビジョン信号を受信する場合には、図１１に示すように、ＩＣチップ１０内に設けられている図示しない制御部よりスイッチングトランジスタＳｗ１をオフにする指令が当該トランジスタＳｗ１のゲートに付与され、当該トランジスタＳｗ１がオフとなる。これによりスイッチング素子３５Ｄを形成するダイオードのアノードとカソードとに共に電源電圧Ｖｃｃが接続されるために、スイッチング素子３５Ｄがオフとなり、第二の共振回路３５ｂが無効とされ、第二実施形態と同様に第１の共振回路３５ａのみが作用して、図７のａ線のようなデジタルテレビジョン信号を受信する場合に適したレスポンス特性が出力される。
【００６０】
次ぎに、アナログテレビジョン信号を受信する場合には、図１２に示すように、ＩＣチップ１０内に設けられている図示しない制御部よりスイッチングトランジスタＳｗ１をオンにする指令が当該トランジスタＳｗ１のゲートに付与され、当該トランジスタＳｗ１がオンとなる。これにより電源電圧Ｖｃｃより電流が抵抗Ｒ６、スイッチング素子３５Ｄ、インダクタ３６ｂＬ、抵抗Ｒ５、スイッチングトランジスタＳｗ１、接地の順に流れて第二の共振回路３５ｂが有効とされる。
【００６１】
これにより中間周波同調回路３５としては第一の共振回路３５ａと、混合回路１４の一方の出力端子２１とグランドとの間に容量素子３５Ｃとダイオード３５Ｄからなるスイッチング素子を介して接続されている第二の共振回路１５ｂが共に動作する。両共振回路３５ａ、３５ｂが動作すると、そして、スイッチング素子３５Ｄをオンとした時に混合回路１４の一方の出力端子２１とグランドとの間に形成された第一の共振回路３５ａと第二の共振回路３５ｂとの合成回路の直列共振周波数が、受信チャンネルの下側に隣接するチャンネル内の周波数に設定されていると共に、スイッチング素子３５Ｄをオンとした時に混合回路１４の一方の出力端子２１とグランドとの間に形成された第一の共振回路３５ａと第二の共振回路３５ｂとの合成回路の並列共振周波数が、受信チャンネル内の周波数に設定されており、更に容量素子３５Ｃをもって接続されているので、図１３のｂ線に示すようなレスポンス特性が得られる。その特性は、第二実施形態と同様に、狭帯域化し、ＰｉｘレベルＡｂをレスポンス特性のピーク値に設定することができ、アナログ用のソーフィルタ（図示せず）とのマッチングをとることができる。更に、クロマレベルＢｂと音声レベルＣｂとをデジタルテレビジョン信号受信時より減衰させることができ、音声Beat改善を図ることができる。更に、周波数がＰｉｘ＋１．５ＭＨｚ近傍におけるレスポンス特性を減衰させることができ、隣接するチャンネルの出力レベルＤｂを減衰させて隣接チャンネルからの妨害耐性を改善することができる。また、容量素子３５Ｃを用いているために、受信チャンネルのＰｉｘのレベルを低下させることなく、上隣接チャンネル部（図１３のｃ部）と下隣接チャンネル部（図１３のｄ部）の信号を更に抑圧することができる。これは図１４に示すように、導通素子Ｒ３を用いた場合の伝送特性ａに比較して、容量素子３５Ｃを用いた場合の伝送特性ｂが、上隣接チャンネル部（図１４のｃ部）と下隣接チャンネル部（図１４のｄ部）においてより低減されていることからわかる。また、第二の共振回路３５ｂのインダクタ３５ｂＬの値を微調整することにより、レスポンス特性のピーク点を調整することができるので、ＰｉｘレベルＡｂをピーク点に設定することも容易にできる。
【００６２】
なお、本発明は前記実施形態に限定されるものではなく、必要に応じて種々変更することが可能である。
【図面の簡単な説明】
【００６３】
【図１】本発明のテレビジョンチューナの第一実施形態を示す回路図
【図２】本発明の第一実施形態の中間周波同調回路を示す回路図
【図３】本発明の第一実施形態の中間周波同調回路部分のレスポンス特性を示す線図
【図４】本発明の中間周波同調回路の第二実施形態を示す回路図
【図５】デジタルテレビジョン信号受信時の図４に示す中間周波同調回路の回路図
【図６】図４の中間周波同調回路のインピーダンス特性を示す特性図であり、（ａ）はデジタルテレビジョン信号受信時を示し、（ａ）はアナログテレビジョン信号受信時を示す
【図７】第２実施形態の中間周波同調回路部分のレスポンス特性を示す線図
【図８】アナログテレビジョン信号受信時の図４に示す中間周波同調回路の回路図
【図９】第２実施形態の中間周波同調回路部分の伝送特性を示す線図
【図１０】本発明の中間周波同調回路の第三実施形態を示す回路図
【図１１】デジタルテレビジョン信号受信時の図１０に示す中間周波同調回路の回路図
【図１２】アナログテレビジョン信号受信時の図１０に示す中間周波同調回路の回路図
【図１３】図１２に示す中間周波同調回路部分のレスポンス特性を示す線図
【図１４】図１１と図１２とに示す中間周波同調回路部分の伝送特性を示す線図
【図１５】従来のテレビジョンチューナを示す回路図
【図１６】従来の中間周波同調回路を示す回路図
【図１７】従来の中間周波同調回路部分のレスポンス特性を示す線図
【符号の説明】
【００６４】
１１  入力同調回路
１２  高周波増幅器
１３  段間同調回路
１４  混合回路
１５、３５  中間周波数同調回路
１５ａ、３５ａ  第一の共振回路
１５ｂ、３５ｂ  第二の共振回路
１６  中間周波数増幅回路
【図１】
2008035205.tif 000003
【図２】
2008035205.tif 000004
【図３】
2008035205.tif 000005
【図４】
2008035205.tif 000006
【図５】
2008035205.tif 000007
【図６】
2008035205.tif 000008
【図７】
2008035205.tif 000009
【図８】
2008035205.tif 000010
【図９】
2008035205.tif 000011
【図１０】
2008035205.tif 000012
【図１１】
2008035205.tif 000013
【図１２】
2008035205.tif 000014
【図１３】
2008035205.tif 000015
【図１４】
2008035205.tif 000016
【図１５】
2008035205.tif 000017
【図１６】
2008035205.tif 000018
【図１７】
2008035205.tif 000019